(57)【要約】【課題】扉の構成を簡素化することができると共に、コストを低く抑えて外部から冷蔵庫を操作することができる冷蔵庫を提供する。【解決手段】扉２６に内蔵した無線タグ３８と、扉本体１２に内蔵され無線タグ３８と通信を行う本体リードライタ４０と、冷蔵庫本体１２に内蔵され本体リードライタ４０を介して無線タグ３８とデータを送受信する本体制御部３６と、冷蔵庫１０と別体であり、無線タグ３８と通信を行う端末リードライタ５０を有する小型端末４２とから構成される。【選択図】      図２
2008275267.tif 000002
【特許請求の範囲】
【請求項１】
冷蔵庫本体の前面に扉を配した冷蔵庫において、
前記扉に内蔵した無線タグと、
前記冷蔵庫本体に内蔵され、前記無線タグと通信を行う第１リードライタと、
前記冷蔵庫本体に内蔵され、前記第１リードライタを介して前記無線タグとデータを送受信する第１制御部と、
前記冷蔵庫と別体であり、前記無線タグと通信を行う第２リードライタと、前記第２リードライタを介して前記無線タグと前記データを送受信する第２制御部を有する端末と、
を有する冷蔵庫。
【請求項２】
前記無線タグは、前記データを保存するメモリを有する、
請求項１記載の冷蔵庫。
【請求項３】
前記第１制御部は、前記第１リードライタと前記無線タグとが通信できないときに前記扉が開状態であると判断する、
請求項１記載の冷蔵庫。
【請求項４】
前記無線タグを内蔵した前記扉付近の材質が、合成樹脂製である、
請求項１記載の冷蔵庫。
【請求項５】
前記扉の幅方向の中央に前記無線タグを内蔵する、
請求項１記載の冷蔵庫。
【請求項６】
前記無線タグは、温度センサ、または、湿度センサを有し、
前記データに前記温度センサ、または、前記湿度センサの検出データを含める、
請求項１記載の冷蔵庫。
【発明の詳細な説明】
【技術分野】
【０００１】
本発明は、家庭用の冷蔵庫に関するものである。
【背景技術】
【０００２】
従来の冷蔵庫の庫内温度の設定や、その他操作等を行うために、冷蔵室の扉に操作パネルが設けられており、この操作パネルを用いてユーザは冷蔵庫の設定や変更等を行っている（例えば、特許文献１参照）。
【０００３】
また、最近の冷蔵庫においては、上記設定や操作を冷蔵庫とは別体のパソコン等の端末を用いて行うことができるものが提案されている（例えば、特許文献２参照）。
【特許文献１】特開２００１−２６３９２８公報
【特許文献２】特開２００３−５６９６２公報
【発明の開示】
【発明が解決しようとする課題】
【０００４】
上記のような冷蔵室の扉に操作パネルが設けられているものは、扉と冷蔵庫本体を回動自在に接続するヒンジ部に束線を配し、操作パネルの制御部と冷蔵庫本体の制御部とを接続してる。しかしながら、このようなヒンジ部分に束線を設ける構造であると、扉内部の構造が複雑になると共にその束線を行う作業が煩雑になり、また、扉の左右開き違いにより、扉内部の構造を２種類構成をする必要があるという問題点がある。
【０００５】
また、外部から冷蔵室の設定や操作を行う場合には、Ｂｌｕｅｔｏｏｔｈの無線通信によって外部から設定を行うものであるが、このＢｌｕｅｔｏｏｔｈの通信を行うための通信装置は非常に高価であるという問題点がある。
【０００６】
そこで、本発明は上記問題点に鑑み、扉の構成を簡素化することができると共に、コストを低く抑えて外部から冷蔵庫を操作することができる冷蔵庫を提供する。
【課題を解決するための手段】
【０００７】
本発明は、冷蔵庫本体の前面に扉を配した冷蔵庫において、前記扉に内蔵した無線タグと、前記冷蔵庫本体に内蔵され、前記無線タグと通信を行う第１リードライタと、前記冷蔵庫本体に内蔵され、前記第１リードライタを介して前記無線タグとデータを送受信する第１制御部と、前記冷蔵庫と別体であり、前記無線タグと通信を行う第２リードライタと、前記第２リードライタを介して前記無線タグと前記データを送受信する第２制御部を有する端末と、を有する冷蔵庫である。
【発明の効果】
【０００８】
本発明によれば、扉内部には無線タグを内蔵するのみであるため、扉の構造が簡素化され、また、無線タグと２個のリードライタを用いるだけであるためコストを削減することができる。
【発明を実施するための最良の形態】
【０００９】
以下、本発明の実施形態の冷蔵庫１０について図面に基づいて説明する。
【００１０】
（第１の実施形態）
以下、本発明の第１の実施形態の冷蔵庫１０について図１〜図３に基づいて説明する。
【００１１】
（１）冷蔵庫１０の構成
図１及び図２に基づいて冷蔵庫１０の構成について説明する。
【００１２】
断熱構造を有した冷蔵庫本体１２には上方から順番に冷蔵室１４、野菜室１６、庫内温度切替室１８、冷凍室２０が設けられ、切替室１８の左側には製氷室２２が設けられている。
【００１３】
冷蔵室１４の前面にはヒンジ部２４によって回動自在に設けられた扉２６が設けられ、野菜室１６、切替室１８、冷凍室２０、製氷室２２にはそれぞれ引き出し式の扉２８、３０、３２、３４が設けられている。
【００１４】
冷蔵庫本体１２の背面側には、冷蔵庫１０の制御を行う第１制御部３６が設けられている。
【００１５】
冷蔵室１４の扉２６の上部であって、かつ、幅方向の中央部には無線タグ３８が内蔵され、この無線タグ３８に対応する冷蔵室１４の上部中央部には本体リードライタ４０が設けられている。
【００１６】
無線タグ３８が設けられている近傍における扉２６の前面パネルは、他の部分の金属板とは異なり、非金属製である合成樹脂板５４によって形成されており、また、無線タグ３８が配されている扉２６の裏面側も合成樹脂板によって形成されている。
【００１７】
冷蔵庫１０とは別体に、冷蔵庫１０の制御や設定を行うための小型端末４２が設けられている。この構成については後から説明する。
【００１８】
（２）冷蔵庫１０の電気的構成
次に、図３に基づいて、冷蔵庫１０及び小型端末４２の電気的構成について説明する。
【００１９】
扉２６に内蔵された無線タグ３８は、その検出範囲が１０ｃｍ程度の電磁誘導方式近傍型のものである。
【００２０】
本体リードライタ４０は、本体制御部３６と接続され、この本体リードライタ４０を介して無線タグ３８とデータを送受信することができる。
【００２１】
本体制御部３６は、マイコンより構成され、データを格納するためのメモリ５２が設けられている。
【００２２】
小型端末４２は、図３に示すように内部に端末制御部４４を内蔵し、この端末制御部４４に、操作用のスイッチ４６とディスプレイ４８と、端末リードライタ５０が設けられている。この端末リードライタ５０は、無線タグ３８とデータの送受信をすることができる。
【００２３】
（３）冷蔵庫１０の操作方法
次に、上記構成の冷蔵庫１０の操作方法について説明する。
【００２４】
ユーザが冷蔵庫１０の状態を確認する場合には、小型端末４２において端末リードライタ５０を読み取り可能状態に設定し、扉２６にかざすことで、無線タグ３８内のデータを読み取り、ディスプレイ４８に表示し、その内容を確認することができる。
【００２５】
また、ユーザが冷蔵庫１０の状態を変更する場合には、小型端末４２のスイッチ４６を操作し、必要な設定（例えば、庫内温度を設定する）を行い、端末リードライタ５０を書き込み可能状態にし、扉２６にかざすことで無線タグ３８内のデータを更新する。一方、冷蔵庫本体側１２は、一定時間（例えば、１０秒）毎に本体リードライタ４０により無線タグ３８のデータを読み取る。本体制御部３６は前回読み取ったデータをメモリ５２に格納しておき、その格納したデータと新規で読み取ったデータの差分を取り、違いがある場合にはその変更箇所の設定を行う。更に、冷蔵庫１０側で変更をユーザに通知するためにそのデータを本体リードライタ４０を介して無線タグ３８へ書き込む。
【００２６】
この無線タグ３８に書き込まれた変更されたデータは、ユーザが小型端末４２のディスプレイ４８を介して確認することができる。
【００２７】
（４）効果
本実施形態の冷蔵庫１０であると、ユーザがデータの読み書きを行う際に扉２６を開けることがなく、扉２６に小型端末４２をかざすだけでよい。
【００２８】
また、扉２６の構造も、従来のように操作パネルや束線を設けることなく、無線タグ３８を１枚埋め込むだけでよいため、構造を簡素化することができ、取り付け作業も煩雑にならない。
【００２９】
また、無線タグ３８が取り付けられている扉２６の近傍は金属製ではなく非金属製であるため、送受信を確実に行うことができる。
【００３０】
また、冷蔵庫１０の扉２６には右開きと左開きのものがあるが、無線タグ３８は扉２６の中央に設置されているため、どちらの扉２６にも対応でき、製造時の取り付けの構成を簡素化することができる。
【００３１】
（第２の実施形態）
次に、第２の実施形態の冷蔵庫１０について説明する。
【００３２】
従来の冷蔵庫１０においては扉２６の開閉状態を検知するために扉スイッチを別途設けていたが、本実施形態ではこの扉スイッチの代わりに無線タグ３８を用いる。
【００３３】
即ち、本体リードライタ４０が無線タグ３８と通信をできる場合には扉２６が閉状態であると認識し、通信できない場合には開状態であると認識するものである。
【００３４】
このようにすることで扉スイッチを無くし、無線タグ３８で扉スイッチの役割を行うことができるため、部品コストを削減でき、また、取り付け作業も簡易化することができる。
【００３５】
（第３の実施形態）
次に、第３の実施形態の冷蔵庫１０について説明する。
【００３６】
従来の冷蔵庫においては、その運転状態や故障が発生したときの故障データ等をＥＥＴＲＯＭ等のメモリに格納し、このメモリを、冷蔵庫の背面の機械室に配置された電子部品の基板上に設けている。
【００３７】
しかし、この従来の構造であると、故障が発生した場合にサービスマンが、冷蔵庫の背面にあったメモリの故障データ等を読み取るために、電源を止めて冷蔵庫を動かし、機械室を開ける作業が必要であるという問題点があった。
【００３８】
そこで、本実施形態ではこのメモリに代えて、無線タグ３８に故障データ等を記憶させている。
【００３９】
このようにすることにより、扉２６にある無線タグ３８から故障データを読み取るだけであるため、上記のような手間をかけることなくサービスマンが簡単に入手することができる。
【００４０】
（第４の実施形態）
次に、冷蔵庫１０の第４の実施形態について説明する。
【００４１】
本実施形態では、無線タグ３８に、温度や湿度センサ付きのものを用い、本体制御部３６と端末制御部４４に、前記の温度センサや湿度センサの検知データを送信するものである。
【００４２】
このようにすることで、温度センサや湿度センサを特別設けることなく、簡単に冷蔵庫周囲の温度や湿度を検知することができる。
【００４３】
（変更例）
本発明は上記各実施形態に限らず、その主旨を逸脱しない限り種々に変更することができる。
【００４４】
上記実施形態では冷蔵庫１０と別体の制御を行うものとして小型端末４２を用いたが、携帯電話に上記端末制御部４４、スイッチ４６、ディスプレイ４８及び端末リードライタ５０の機能を内蔵して、この携帯電話によって冷蔵庫１０を操作してもよい。
【００４５】
また、無線タグ３８は、電磁誘導方式近傍型を用いたがこれ以外の方式の無線タグを用いてもよい。
【００４６】
また、上記実施形態では冷蔵室１４の扉２６に無線タグ３８を設けたが、これに代えて他の野菜室１６等の扉２８等に設けてもよい。この場合には、本体リードライタ４０を、各部屋の仕切り部の前端部に設ければよい。
【００４７】
また、扉２６のハンドルを非金属製となし、この部分に無線タグ３８を設けてもよい。
【図面の簡単な説明】
【００４８】
【図１】本発明の第１の実施形態を示す冷蔵庫の扉を開けた状態の一部欠裁側面図である。
【図２】第１の実施形態の冷蔵庫と小型端末の正面図である。
【図３】第１の実施形態の冷蔵庫のブロック図である。
【符号の説明】
【００４９】
１０  冷蔵庫
１２  冷蔵庫本体
２６  扉
３６  本体制御部
３８  無線タグ
４０  本体リードライタ
４２  小型端末
４４  端末制御部
５０  端末リードライタ
【図１】
2008275267.tif 000003
【図２】
2008275267.tif 000004
【図３】
2008275267.tif 000005